(57)【特許請求の範囲】
【請求項１】
表示手段に、第１の関心領域を示す第１の表示画像と、前記第１の表示画像に関係付けられた第１の医用情報と、が紐付けて表示されている場合において、前記第１の医用情報を第２の医用情報と第３の医用情報とに分割する分割指示を受け付ける受付手段と、
前記分割指示を受け付けた場合に、前記第２の医用情報と前記第３の医用情報とを新たに前記表示手段に表示し、前記第１の表示画像を、前記第２の医用情報に対応する第２の関心領域を示す第２の表示画像と、前記第３の医用情報に対応する第３の関心領域を示す第３の表示画像と、に分割し、それぞれの医用情報に紐付けて前記表示手段に表示する表示処理手段と
を有することを特徴とする情報処理システム。
【請求項２】
前記表示処理手段は、前記第１の医用情報に関係付けられている撮影画像と、前記第１の医用情報に関係付けられている関心領域と、に基づいて、前記第２の表示画像及び第３の表示画像を描画することを特徴とする請求項１に記載の情報処理システム。
【請求項３】
前記表示処理手段は、撮影画像に前記関心領域を示す領域画像が重畳された画像を、前記第２の表示画像及び前記第３の表示画像として表示することを特徴とする請求項１又は２に記載の情報処理システム。
【請求項４】
前記領域画像は、前記関心領域を囲む表示枠であること特徴とする請求項３に記載の情報処理システム。
【請求項５】
前記領域画像は、前記関心領域の識別情報を示す画像であることを特徴とする請求項３又は４に記載の情報処理システム。
【請求項６】
前記表示処理手段は、前記第１の医用情報に複数の関心領域が関係付けられている場合に、前記第１の医用情報と、各関心領域を示す複数の前記第１の表示画像それぞれと、を紐付けて表示することを特徴とする請求項１乃至５の何れか１項に記載の情報処理システム。
【請求項７】
前記表示処理手段は、前記分割指示を受け付けた場合に、前記第２の医用情報に対応する１又は複数の関心領域を示す前記第２の表示画像と、前記第３の医用情報に対応する１又は複数の関心領域を示す前記第３の表示画像と、をそれぞれの医用情報に紐付けて前記表示手段に表示することを特徴とする請求項６に記載の情報処理システム。
【請求項８】
撮影画像と、前記第１の医用情報と、前記第１の医用情報に対応する関心領域と、を関係付けて記憶する記憶手段をさらに有し、
前記表示処理手段は、前記記憶手段を参照して、前記第１の表示画像と、前記第１の医用情報とを紐付けて表示することを特徴とする請求項１乃至７の何れか１項に記載の情報処理システム。
【請求項９】
前記分割指示を受け付けた場合に、前記第２の医用情報と、前記第２の医用情報に対応する関心領域と、を前記撮影画像に関係付けて前記記憶手段に登録し、前記第３の医用情報と、前記第３の医用情報に対応する関心領域と、を前記撮影画像に関係付けて前記記憶手段に登録する登録手段をさらに有することを特徴とする請求項８に記載の情報処理システム。
【請求項１０】
前記受付手段は、前記表示手段に、複数の医用情報と、複数の表示画像とが紐付けて表示されている場合において、複数の医用情報の統合指示を受け付け、
前記表示処理手段は、統合後の医用情報を、新たな医用情報として表示し、前記統合後の医用情報に対応する関心領域を示す表示画像を、前記統合後の医用情報に紐付けて表示することを特徴とする請求項１乃至９の何れか１項に記載の情報処理システム。
【請求項１１】
前記医用情報は、所見情報であることを特徴とする請求項１乃至１０の何れか１項に記載の情報処理システム。
【請求項１２】
表示手段に、関心領域を示す第１の表示画像と、第１の医用情報と、が紐付けて表示されている場合において、前記第１の医用情報を第２の医用情報と第３の医用情報とに分割する分割指示を受け付ける受付ステップと、
前記分割指示を受け付けた場合に、前記第２の医用情報と前記第３の医用情報とを新たに前記表示手段に表示し、前記第１の表示画像を、前記第２の医用情報に対応する第２の関心領域を示す第２の表示画像と、前記第３の医用情報に対応する第３の関心領域を示す第３の表示画像と、に分割し、それぞれの医用情報に紐付けて前記表示手段に表示する表示処理ステップと
を含むことを特徴とする、情報処理システムによる情報処理方法。
【請求項１３】
コンピュータを、
表示手段に、第１の関心領域を示す第１の表示画像と、前記第１の表示画像に関係付けられた第１の医用情報と、が紐付けて表示されている場合において、前記第１の医用情報を第２の医用情報と第３の医用情報とに分割する分割指示を受け付ける受付手段と、
前記分割指示を受け付けた場合に、前記第２の医用情報と前記第３の医用情報とを新たに前記表示手段に表示し、前記第１の表示画像を、前記第２の医用情報に対応する第２の関心領域を示す第２の表示画像と、前記第３の医用情報に対応する第３の関心領域を示す第３の表示画像と、に分割し、それぞれの医用情報に紐付けて前記表示手段に表示する表示処理手段と
して機能させるためのプログラム。
【発明の詳細な説明】
【技術分野】
【０００１】
本発明は、医用情報に係る情報処理システム、情報処理方法及びプログラムに関する。
【背景技術】
【０００２】
近年、「医療スタッフの協働・連携によるチーム医療の推進について」（医政発０４３０第１号）において、診療放射線技師の更なる役割の１つとして「画像診断における読影の補助を行うこと」が求められている。診療放射線技師による読影の補助には、「プレ読影」と呼ばれる、読影医の読影前の診療放射線技師による拾い上げチェックがある。また、ＣＡＤｅ（Computer  Aided  Detection）およびＣＡＤｘ（Computer  Aided  Diagnosis）と呼ばれる、読影支援技術の開発も進められている。読影医は、プレ読影やＣＡＤｅにより拾い上げられた所見を参考に、読影を行い、画像診断を下し、読影レポートを作成する。
【０００３】
特に、経過観察の読影レポートの作成においては、病変の経時的な変化を確認することが重要となる。例えば、肺炎と疑っていた多発肺結節の一つが肺癌の疑いに変化するというように、多発する病変等、まとまりとして考えていた病変が、診療の過程で分割される場合がある。このような場合においても、医師は、病変の経時的な変化を追跡する必要がある。
【０００４】
経過観察の読影レポート作成を支援するための技術として、特許文献１には、診断病名に関係付けて病変情報や病変に関するレポート情報の登録を受け付けて、互いに関係付けて表示する技術が開示されている。また、特許文献２には、所見の文字列と画像中のアノテーションとを対応付ける等、読影レポートの文章と他の情報を対応付ける技術が開示されている。また、特許文献３には、キー入力に基づき、ツリー構造のノードを分割する技術が開示されている。
【先行技術文献】
【特許文献】
【０００５】
【特許文献１】特開２０１５−１７９３１９号公報
【特許文献２】特開２０１３−１５７０３４号公報
【特許文献３】特開２００２−１１６９１０号公報
【発明の概要】
【発明が解決しようとする課題】
【０００６】
しかしながら、上述の通り、経過観察の過程において、病変の単位が変更になる場合があり、このような場合においても、病変の経時的な変化を追跡可能に医用情報を管理するのが望ましい。
【０００７】
本発明はこのような問題点に鑑みなされたもので、病変の単位が変更になった場合においても、病変の経時的な変化を追跡可能に、医用情報を表示することを目的とする。
【課題を解決するための手段】
【０００８】
そこで、本発明は、情報処理装置であって、表示手段に、第１の関心領域を示す第１の表示画像と、前記第１の表示画像に関係付けられた第１の医用情報と、が紐付けて表示されている場合において、前記第１の医用情報を第２の医用情報と第３の医用情報とに分割する分割指示を受け付ける受付手段と、前記分割指示を受け付けた場合に、前記第２の医用情報と前記第３の医用情報とを新たに前記表示手段に表示し、前記第１の表示画像を、前記第２の医用情報に対応する第２の関心領域を示す第２の表示画像と、前記第３の医用情報に対応する第３の関心領域を示す第３の表示画像と、に分割し、それぞれの医用情報に紐付けて前記表示手段に表示する表示処理手段とを有することを特徴とする。
【発明の効果】
【０００９】
本発明によれば、病変の単位が変更になった場合においても、病変の経時的な変化を追跡可能に、医用情報を表示することができる。
【図面の簡単な説明】
【００１０】
【図１】医用情報表示システムを示す図である。
【図２】端末装置のハードウェア構成図である。
【図３】ディスプレイの表示例を示す図である。
【図４】端末装置のソフトウェア構成図である。
【図５】読影レポート情報の一例を示す図である。
【図６】引継ぎコピー時のレポート画面の表示例を示す図である。
【図７】所見情報の分割時のレポート画面の表示例を示す図である。
【図８】所見情報の分割時の所見情報等の表示例を示す図である。
【図９】所見情報と代表画像の表示例を示す図である。
【図１０】時系列表示時のレポート画面の表示例を示す図である。
【図１１】ユーザ操作の説明図である。
【図１２】ＲＯＩ選択画面の一例を示す図である。
【図１３】ＲＯＩのアイコンの形状の説明図である。
【図１４】メイン処理を示すフローチャートである。
【図１５】所見情報分割処理を示すフローチャートである。
【図１６】画像分割処理を示すフローチャートである。
【図１７】ＲＯＩ情報特定処理を示すフローチャートである。
【図１８】第２の実施形態に係る読影レポート情報の一例を示す図である。
【図１９】レポート画面の表示例を示す図である。
【図２０】所見情報の分割時のレポート画面の表示例を示す図である。
【図２１】所見情報の分割時の所見情報等の表示例を示す図である。
【図２２】所見情報及び代表画像の統合処理の説明図である。
【図２３】所見情報等の表示例を示す図である。
【図２４】代表画像等の表示例を示す図である。
【図２５】所見情報のグループの説明図である。
【図２６】第２の実施形態に係るメイン処理を示すフローチャートである。
【図２７】所見情報統合処理を示すフローチャートである。
【図２８】画像統合処理を示すフローチャートである。
【図２９】所見情報分割処理を示すフローチャートである。
【発明を実施するための形態】
【００１１】
以下、本発明の実施形態について図面に基づいて説明する。
（第１の実施形態）
図１は、第１の実施形態に係る医用情報表示システムを示す図である。本実施形態においては、医用情報表示システムが、医療分野における画像診断の読影レポートを医用情報として表示する場合を例に説明するが、医用情報表示システムの表示対象は、医用情報であればよく、その具体的な種類は実施形態に限定されるものではない。例えば、他の診断レポートであってもよい。
【００１２】
医用情報表示システムは、端末装置１００と、ＰＡＣＳ（Picture  Archiving  and  Communication  System）装置１２０と、レポート装置１３０と、を有している。ここで、端末装置１００は、情報処理装置及び情報処理システムの一例である。ＰＡＣＳ装置１２０は、画像データベース（以降、ＤＢ）１２１を有し、ネットワーク１１０を介して検査画像を保存、読み出しする機能を提供するサーバ装置である。画像ＤＢ１２１は、患者情報と、検査情報と、検査画像とを対応付けて記憶している。ここで、患者情報は、患者に関する情報である。検査情報は、検査に関する情報である。検査画像は、ＣＴやＭＲＩで撮影されたＤＩＣＯＭ（Digital  Imaging  and  Communications  in  Medicine）形式の画像である。検査画像は、医用情報の一例である。
【００１３】
レポート装置１３０は、レポートＤＢ１３１有し、読影レポート情報を、ネットワーク１１０を介して保存、読み出しする機能を提供するサーバである。レポートＤＢ１３１は、読影レポート情報を記憶している。読影レポート情報は、検査画像に対するレポートを示す情報であり、種類の異なる複数の医用情報を含む。読影レポート情報は、検査画像に対する所見、所見を根拠とする診断、診断を根拠とする推奨される検査等を示す情報である。
【００１４】
端末装置１００は、表示対象として指定された検査に対する読影レポート情報をレポート装置１３０から読み出して表示する。また、端末装置１００は、代表画像の指定に応じて、対応する検査画像をＰＡＣＳ装置１２０から読み出して表示する。
【００１５】
図２は、端末装置１００のハードウェア構成図である。記憶媒体２０４は、ＯＳ（Operating  System）や処理プログラムや各種情報を記憶する、ＨＤＤ（Hard  Disk  Drive）等の記憶媒体である。ＲＯＭ（Read  Only  Memory）２０１は、ＢＩＯＳ（Basic  Input  Output  System）等、ＯＳを起動するためのプログラムを記憶する。ＣＰＵ（Central  Processing  Unit）２０２は、各種プログラムを実行する際の演算処理を行う。ＲＡＭ（Random  Access  Memory）２０３は、ＣＰＵ２０２がプログラムを実行する際の各種情報を一時記憶する。なお、後述する端末装置１００の機能や処理は、ＣＰＵ２０２がＲＯＭ２０１又は記憶媒体２０４に格納されているプログラムを読み出し、このプログラムを実行することにより実現されるものである。
【００１６】
入力インタフェース（以降Ｉ／Ｆ）２０５は、キーボード２１０、マウス２２０等の入力機器を接続する、ＵＳＢ（Universal  Serial  Bus）等の通信インタフェースである。ディスプレイＩ／Ｆ２０６は、ディスプレイ２３０ａ、２３０ｂへ画面表示を行うための、グラフィックボード等のインタフェースである。ネットワークＩ／Ｆ２０７は、ＩＥＥＥ（Institute  of  Electrical  and  Electronics  Engineers）８０２．３ａｂ等の規格に対応し、ネットワーク１１０を介した通信を行うための、インタフェースである。２０８は、各ブロックが通信を行う為の内部バスである。
【００１７】
図３は、ディスプレイ２３０ａ、２３０ｂの表示例を示す図である。本実施形態において、ディスプレイ２３０ａには、ビューワ画面３１０が表示され、ディスプレイ２３０ｂには、レポート画面３２０が表示される。ビューワ画面３１０は、表示対象の患者の検査に係る検査画像を表示する画面である。レポート画面３２０は、表示対象の患者の検査の読影レポート情報を表示する画面である。
【００１８】
ビューワ画面３１０において、３１１は、患者情報を表示する領域である。患者情報は、患者氏名、患者ＩＤ、患者の年齢、性別等を含んでいる。３１２は、検査情報を表示する領域である。検査情報は、検査種別、検査部位、検査日、コメント等を含んでいる。
【００１９】
３１４は検査画像を表示する領域である。本領域では、表示するスライス位置の移動や、ＷＬ（Window  Level）／ＷＷ（Window  Width）といった画像表示条件の変更や、ＲＯＩ（Region  of  Interest）等の図形表示等が可能である。ここで、ＲＯＩは、関心領域の一例である。ＲＯＩは、病変に係る部位等、医師が注目すべき領域である。３１３ａ、３１３ｂは同一検査で撮影された検査画像の代表画像である。ユーザによる、代表画像３１３ａ、３１３ｂのドラッグ＆ドロップ等の選択操作に応じて３１４の領域に、対応する画像を表示できる。３１５は、画像に付与された図形であり、病変の位置等を明示するために使用される。図形としては、矩形の他、楕円形、円形、多角形、自由閉曲線、三角形、直線、矢印線等がある。
【００２０】
３１６は、図形３１５又はスライス画像に対応付けられた所見文を入力、表示する入力枠である。入力枠３１６は、スライス画像が表示された際に即座に表示しても、操作に応じて表示、非表示を切り替えできても、スライス画像が所定時間表示された際に自動で表示されても良い。
【００２１】
レポート画面３２０において、３２１は、患者情報を表示する領域である。３２２は、検査情報を表示する領域である。３３０は、選択されている検査と同一患者に対し、表示対象の読影レポート情報の作成時点よりも過去に得られた読影レポート情報を表示する表示領域である。以下、３３０を過去レポート領域と称する。また、表示対象の読影レポート情報の作成時点よりも過去に得られた読影レポート情報を、過去の読影レポート情報と称する。なお、起動時には、過去レポート領域３３０には、表示対象として選択された検査の１回前の検査に係る読影レポート情報が表示される。３４０は、表示対象の読影レポート情報、すなわち今回作成中の読影レポート情報を表示する表示領域である。以下、３４０を今回レポート領域と称する。また、表示対象の読影レポート情報を今回の読影レポート情報と称する。過去レポート領域３３０への書き込みや削除等の編集は禁止されている。一方、今回レポート領域３４０においては、編集が可能である。
【００２２】
３３１は、過去の検査を選択するコントロールであり、マウスクリックすると過去の検査の一覧が表示され、任意の検査を選択できる。３３２ａは、過去の検査の依頼目的を表示する表示枠であり、依頼目的毎に分割して表示する。３３２ａに表示される情報は、検査を依頼するシステム上で依頼医が作成しても、読影レポート情報を作成する際に読影医が作成しても、自由文の依頼目的から言語解析により抽出、生成してもよい。
【００２３】
３３３ａは、過去の検査の読影レポート情報に示される代表画像から生成された医用表示画像である。代表画像は、所見の特徴を表すスライス画像であり、例えばユーザ操作に応じて設定される。医用表示画像は、代表画像上に、所見情報に示されるＲＯＩを示す画像が重畳された画像である。３３４ａは、代表画像に対応する所見情報である。所見情報は、代表画像から得られる所見を示す医用情報である。所見情報には、画像から読み取れる客観的な事実が記載されている。所見情報は、読影医が画像を観察し見つけたものだけでなく、診療放射線技師によるプレ読影により見つけられたもの、ＣＡＤｅ等の画像解析により見つけられたものを含んでよい。この際には、誰／何によって見つけられたものかを区別できるよう、表示態様が変更される（不図示）。
【００２４】
また、医用表示画像３３３ａと所見情報３３４ａは、情報間の対応関係を示す線で結ばれている。このように、表示処理部４１１は、医用表示画像３３３ａと所見情報３３４ａを結ぶ線を表示することにより、医用表示画像３３３ａと所見情報３３４ａとを紐付けて表示する。なお、表示処理部４１１は、情報間の紐付けを認識可能に表示すればよく、そのための具体的な表示形式は実施形態に限定されるものではない。紐付け表示の他の例としては、紐付けて表示すべき複数の情報を同じ色で表示する、同一の表示枠内に表示する等が挙げられる。
【００２５】
３３５ａは、所見情報３３４ａを根拠とする診断情報である。診断情報は、所見から判断される疾患等の主観的な情報である。診断情報３３５ａは、所見情報３３４ａと、原因／根拠の関係を示す矢印線で結ばれている。所見情報と診断情報との関係は、１対１でも１対多でも多対１でも多対多でもよい。３３６ａは、診断情報３３５ａを根拠とする推奨情報である。推奨情報は、診断の内容に応じて推奨される検査等の情報である。推奨情報３３６ａは、診断情報３３５ａと、原因／根拠の関係を示す矢印で結ばれている。診断情報と推奨との関係も、１対１でも１対多でも多対１でも多対多でもよい。
【００２６】
３３２ｂは、過去レポート領域３３０の表示枠３３２ａと同様に、表示対象の検査（今回の検査）の依頼目的を表示する表示枠である。また、３３３ｂは、過去レポート領域３３０の医用表示画像３３３ａと同様に、表示対象の検査の読影レポート情報に示される代表画像から生成された医用表示画像である。３３４ｂ、３３５ｂ及び３３６ｂは、それぞれ今回の読影レポート情報に係る所見情報、診断情報及び推奨情報である。図６に示す、医用表示画像に対応する代表画像、所見情報、診断情報及び推奨情報は、いずれも医用情報であり、その情報種別が異なる情報である。例えば、代表画像は、情報種別が「代表画像」の医用情報であり、所見情報は、情報種別が「所見情報」の医用情報である。
【００２７】
なお、図示されていないが、依頼目的と所見情報、診断情報、推奨情報は対応関係を持たせることが可能であり、対応関係を持つ場合には、依頼目的の選択により対応する情報がハイライト表示される。また、過去レポートの所見と今回レポートの所見は経時的な関係（以降、引継ぎ関係と呼ぶ）を持たせることが可能であり、引継ぎ関係を持つ場合には、依頼目的との関係同様に、対応する情報がハイライト表示される。
【００２８】
３５１は、作成したレポートを保存せずに終了するボタン、３５２は、一時保存して終了するボタン、３５３は確定保存して終了するボタンである。３５０は、指定した所見情報を時系列に並べて表示する為の画面（以降、時系列表示と呼ぶ）に切り替える為のボタンであり、時系列表示に関しては図１０を用いて後述する。尚、表示する情報の種別や、表示のレイアウトや、情報や関係の表示方法は一例であり、これに限られるものではない。
【００２９】
図４は、端末装置１００のソフトウェア構成図である。端末装置１００の処理部４００の表示処理部４１１は、ＰＡＣＳ装置１２０の画像ＤＢ１２１から、表示対象となる検査の患者情報、検査情報、検査画像を読み出し、ビューワ画面３１０を作成し、ディスプレイ２３０ａに表示させる。表示処理部４１１はまた、レポート装置１３０のレポートＤＢ１３１から、読影レポート情報を読み出し、レポート画面３２０を作成し、ディスプレイ２３０ｂに表示させる。表示処理部４１１は、画像の表示条件の変更や過去検査の選択、時系列表示の切り替え等も行う。また、図４では図示しないが、画像ＤＢ１２１からの画像データの読み出し、レポートＤＢ１３１からの読影レポート情報の読み出しは、ネットワーク１１０を介して行われる。
【００３０】
図５は、読影レポート情報の一例を示す図である。読影レポート情報５００は、複数の医用情報と、複数の関係情報と、を含んでいる。すなわち、読影レポート情報５００に含まれる複数の医用情報は、同一の読影レポート情報５００に含まれていることにより、互いに関係付けられた情報として管理されている。なお、読影レポート情報５００は、端末装置１００がビューワ画面及びレポート画面を表示する際に、端末装置１００のＣＰＵ２０２がレポート装置１３０から読み出して、自装置のＲＡＭ２０３等の記憶部に記録するものとする。
【００３１】
医用情報は、医療において参照される情報である。各医用情報は、「情報種別」と、「属性情報」と、を含んでいる。本実施形態においては、医用情報の情報種別として、「レポート識別情報」、「患者情報」、「検査情報」、「依頼目的」、「代表画像」、「所見」、「診断」、「推奨」及び「ＲＯＩ」のいずれかが設定される。なお、医用情報の情報種別は、実施形態に限定されるものではない。以下、情報種別が「レポート識別情報」、「患者情報」及び「検査情報」の医用情報を、それぞれ適宜「レポート識別情報」、「患者情報」及び「検査情報」と称する。また、情報種別が「依頼目的」、「代表画像」、「所見」、「診断」、「推奨」及び「ＲＯＩ」の医用情報を、それぞれ適宜「依頼目的情報」、「代表画像」、「所見情報」、「診断情報」、「推奨情報」及び「ＲＯＩ情報」と称する。
【００３２】
関係情報は、医用情報間の特定の関係を示す情報である。本実施形態の関係情報は、「関係種別」と、「属性情報」と、を含んでいる。本実施形態においては、関係情報の関係種別として、「対応」、「原因／根拠」及び「引き継ぎ」の何れかが設定される。なお、関係情報の関係種別は、実施形態に限定されるものではない。
【００３３】
レポート情報は、レポートＩＤ、読影医、撮影日時の属性情報を含んでいる。また、患者情報は、患者氏名、患者ＩＤ、年齢、性別の属性情報を含んでいる。また、検査情報は、検査種別、検査部位、検査日、コメントの属性情報を含んでいる。代表画像は、代表画像としての検査画像を一意に識別するＵＩＤ（Unique  Identifier）、代表画像に付与されたＲＯＩに係るＲＯＩ情報を識別するＲＯＩ  ＵＩＤを含んでいる。代表画像は、画像表示を再現するための表示条件の情報をさらに含んでいてもよい。
【００３４】
依頼目的情報は、ＵＩＤ、内容（テキスト）の属性情報を含んでいる。所見情報は、ＵＩＤ、所見の自由文、部位名、病変種別の属性情報を含んでいる。ここで、部位名や病変種別は、言語解析により自由文から抽出しても、ユーザに入力させてもよい。診断情報は、ＵＩＤ、自由文、診断名の属性情報を含んでいる。推奨情報は、ＵＩＤ、自由文の属性情報を含んでいる。ＲＯＩ情報は、ＵＩＤ、座標、ＲＯＩ番号の属性情報を含んでいる。なお、本実施形態においては、ＲＯＩは包含関係に基づく親子関係を有する。子のＲＯＩ情報が作成された場合には、親のＲＯＩ情報に対応する所見情報に、このＲＯＩ情報に対応する「ＲＯＩ番号：」の文字列が追加される。
【００３５】
関係情報は、関係元ＵＩＤと関係先ＵＩＤの属性情報を含んでいる。関係元と関係先のＵＩＤには、依頼目的、代表画像、所見、診断、推奨、ＲＯＩの何れかのＵＩＤが入る。以上のように、読影レポート情報５００、複数の医用情報を含み、また、複数の医用情報間の関係を特定するための情報である。なお、複数の医用情報間の関係を特定するための情報のデータ構成は、読影レポート情報５００に限定されるものではない。
【００３６】
図４に戻り、受付部４１２は、ユーザ操作に応じた指示を受け付ける。受付部４１２は、例えば、レポート画面３２０における所定の操作入力に対応し、読影レポート情報に記載された「依頼目的」、「代表画像」、「所見」、「診断」、「推奨」の少なくとも１つの情報種別の医用情報の指定指示を受け付ける。操作入力は、例えば、マウス２２０による情報上での左クリック操作やキーボード２１０の方向キーの入力操作であるが、これに限られるものではない。また、受付部４１２は、キーボード２１０やマウス２２０による操作に対応し、読影レポート情報の編集指示を受け付ける。編集とは、「ＲＯＩ」や「所見」の医用情報の作成、代表画像の貼付、「依頼目的」や「診断」や「推奨」等の項目の作成、項目のテキスト編集、項目間の関係付けの追加、変更、削除、項目の削除、「所見」の医用情報の分割等である。
【００３７】
編集部４１３は、受付部４１２が受け付けた指示に従い、読影レポート情報５００を編集し、さらに、編集結果に応じてレポートＤＢ１３１内の読影レポート情報５００を更新する。編集部４１３は、例えば、１つの所見情報が２つの所見情報に分割された場合に、各所見情報と代表画像とを対応付けるように読影レポート情報５００を編集する。なお、編集部４１３の詳細な処理については後に詳述する。
【００３８】
図６は、引継ぎコピー時のレポート画面３２０の表示例を示す図である。ここで、引継ぎコピーとは、過去に得られた所見情報と経時的な関係を持つ所見情報をコピーすることにより新たに所見情報を作成する処理である。図６（ａ）は、新規の今回レポートを作成する際のレポート画面３２０の表示例を示す図である。今回検査は「２０１５年８月２３日 １１：２３」であり、前回検査は「２０１５年５月１９日９時４８分」である。前回の検査目的は３３２ａに示す「肺癌の精査」であり、医用表示画像３３３ａから、所見情報３３４ａとして多発結節を認め、診断情報３３５ａ、推奨情報３３６ａに示すように、肺炎を疑いフォローアップが推奨されている。
【００３９】
前回検査に伴い、今回検査の依頼目的は、３３２ａにあるように「肺炎のフォロー」とされている。そこで、医師等のユーザは、多発結節の前回の所見情報３３４ａをマウス指定し（６０１はマウスのポインタを表す）、マウスオーバーにより表示される引継ぎボタン６０２をクリックする。これに対し、所見情報３３４ａが、今回レポートに引継ぎコピーされる。引継ぎコピーとは、引継ぎ関係が付与されたコピーである。
【００４０】
図６（ｂ）は、引継ぎコピー後の表示画面の一例である。医用表示画像３３３ａと医用表示画像３３３ｂ、所見情報３３４ａと所見情報３３４ｂ、診断情報３３５ａと診断情報３３５ｂ、推奨情報３３６ａと推奨情報３３６ｂは、それぞれ引継ぎの関係になる。ここで医用表示画像３３３ｂを貼付するためには、前回画像に対応する今回画像のシリーズの特定と画像の位置合わせが必要となる。シリーズの特定はＤＩＣＯＭ情報のマッチング、画像の位置合わせは両シリーズの３次元画像情報の差を最小化する既知の方法により行うが、これに限られるものではない。
【００４１】
図７は、所見情報の分割時のレポート画面３２０の表示例を示す図である。図７（ａ）は、ユーザが所見情報の分割指示を入力する際のレポート画面３２０の表示例を示す図である。７００ａは、ユーザにより指定された情報であり、所見情報３３４ｂ内の文字列である。すなわち、情報７００ａは、所見情報３３４ｂの一部の内容に相当する。ユーザが、情報７００ａを診断情報３３５ｃに関係付ける操作を行うと、受付部４１２は、所見情報３３４ｂから情報７００ａを分割することを示す分割指示を受け付ける。分割指示を受け付けると、表示処理部４１１は、情報７００ａを新たな所見情報として表示し、さらに、所見情報３３４ｂの表示から情報７００ａの表示を削除する。
【００４２】
図７（ｂ）は、分割指示に応じた処理後のレポート画面３２０を示す図である。図７(ｂ)に示すレポート画面３２０において、所見情報３３４ｂは、分割指示に従い、所見情報３３４ｃと所見情報３３４ｄに分割されている。さらに、所見情報の分割に伴い、対応する医用表示画像３３３ｂも、医用表示画像３３３ｃと医用表示画像３３３ｄに分割されている。
【００４３】
なお、関係付け操作は、例えば、情報７００ａを選択し、診断情報３３５ｃ上にドラッグ＆ドロップする操作（７００ｂ）である。なお、図示しないが、情報７００ａを指定した状態で、ＴＡＢキーを入力すると、受付部４１２は、情報７００ａに新規診断情報を追加する追加指示を受け付ける。新規の診断情報は、所見情報３３４ｂに紐付けられた診断情報３３５ｄとは異なる。したがって、本操作は、所見情報３３４ｂの一部の情報７００ａを新たな所見情報とするための操作となる。また、所見情報３３４ｂの文字列内でＣｔｒｌ＋Ｅｎｔｅｒキーの入力は、文字入力のカーソル位置後方の文字列を、所見情報３３４ｂから分割する操作となる。その他、ボタン、メニュー等で、分割指示を行ってもよい。
【００４４】
図８は、分割前後の医用表示画像を示す図である。所見情報に複数のＲＯＩ情報が関係付けられている場合には、表示処理部４１１は、代表画像に設定された検査画像（撮影画像）上に、複数のＲＯＩ情報それぞれに係る複数のＲＯＩ番号及びＲＯＩの表示枠を重畳した画像を医用表示画像として表示する。ここでＲＯＩ番号及びＲＯＩの表示枠は、関心領域を示す領域画像の一例である。また、ＲＯＩ番号は、関心領域としてのＲＯＩの識別情報を示す画像であり、関心領域を示す領域画像の一例である。以下、表示枠及びＲＯＩ番号を、適宜領域画像と総称する。
【００４５】
例えば、読影レポート情報５００において、代表画像に関係付けられた所見情報３３４ｂにＲＯＩ番号１〜８に対応する８つのＲＯＩ情報が対応付けられているとする。この場合には、表示処理部４１１は、図８に示すように、代表画像に８つのＲＯＩそれぞれに対応するＲＩＯ番号及び表示枠を重畳した画像を医用表示画像３３３ｂとして表示する。
【００４６】
なお、例えば、ＲＯＩ番号２〜８のＲＯＩがＲＯＩ番号１のＲＯＩの子として指定されている場合には、図８に示すように、医用表示画像３３３ｂは、番号１のＲＯＩの表示枠内に番号２〜８のＲＯＩの表示枠が配置された画像となる。このように、表示処理部４１１は、撮影画像と、関心領域と、に基づいて、医用表示画像を描画する。
【００４７】
所見情報３３４ｂが所見情報３３４ｃ、３３４ｄに分割されると、分割に係る文字列とＲＯＩとの対応関係に基づいて、所見情報３３４ｃ、３３４ｄそれぞれに対応する医用表示画像３３３ｃ、３３３ｄが生成され、表示される。このとき表示される医用表示画像３３３ｃは、ＲＯＩ番号１〜５、７、８に対応する領域画像が重畳されたスライス画像（検査画像）であり、医用表示画像３３３ｄは、ＲＯＩ番号６に対応する領域画像が重畳されたスライス画像（検査画像）である。なお、医用表示画像３３３ｃ、３３３ｄのスライス画像は同一の画像である。
【００４８】
また、他の例としては、図９に示すように、所見情報に複数のＲＯＩ情報が関係付けられている場合に、表示処理部４１１は、１つの所見情報に対し、各ＲＯＩ情報に対応する複数の医用表示画像を紐付けて表示してもよい。８個のＲＯＩ情報が対応付けられている所見情報３３４ｂに対しては、図９に示すように、１つの所見情報３３４ｂに対し、８個の医用表示画像３３３ｅ〜３３３ｌを紐付けて表示する。ここで、医用表示画像３３３ｅ〜３３３ｌは、それぞれＲＯＩ番号１〜８の領域画像が重畳されたスライス画像である。なお、他の例として、複数の医用表示画像３３３ｅ〜３３３ｌのそれぞれにすべてのＲＯＩに対応する領域画像を重畳し、所見情報に対応するＲＯＩの領域画像と所見情報に対応しないＲＯＩの領域画像とを異なる表示態様で表示してもよい。これにより、所見情報に対応するＲＯＩの領域画像と所見情報に対応しないＲＯＩの領域画像とを区別することができる、異なる表示態様で表示する方法としては、例えばＲＯＩ番号や表示枠の線の太さや色を異ならせる等の方法が挙げられる。
【００４９】
図１０は、時系列表示時のレポート画面３２０の表示例を示す図である。本表示画面では、表示領域１０００に「２０１４／１１／２５」、「２０１５／２／２０」、「２０１５／５／１９」、「２０１５／８／２３」、「２０１５／１１／１５」の５回の検査の所見情報と対応する医用表示画像が時系列に並べて表示されている。ここで、１００１は、表示位置に対応する時点で所見情報が分割されたことを示している。表示ボタン１００２は、クリックすることにより時系列表示を終了し、レポートの表示入力画面に戻るためのボタンである。
【００５０】
図１１は、所見情報中の分割対象の一部の内容(文字列)とＲＯＩ情報とを対応付けるためのユーザ操作の説明図である。ユーザは、所見情報３３４ｂの一部の内容１１００ａを医用表示画像３３３ａの所望のＲＯＩの表示枠内にドラッグ＆ドロップする（１１００ｂ）。ドラッグ＆ドロップ操作が行われると、端末装置１００は、一部の内容１１００ａと、ＲＯＩ情報（図１１の例では、ＲＯＩ番号６のＲＯＩ情報）との関係付けを行う。ここで、関係付けとは、対象となる複数の情報を対応付けて記録することである。本実施形態においては、編集部４１３が、一部の内容と、ＲＯＩ番号とを対応付ける情報を読影レポート情報５００に追加する。
【００５１】
さらに、本ユーザ操作により、図１１に示すように、所見情報の表示も更新される。図１１の例では、所見情報３３４ｂが所見情報３３４ｅに更新される。所見情報３３４ｅは、一部の内容１１０１に対し、対応付けられたＲＯＩ情報を識別する文字列１１０２が挿入される。図１１の例ではＲＯＩ番号６に対応して「６：」の文字列１１０２が挿入される。
【００５２】
図１２（ａ）は、分割対象の所見情報に対応するＲＯＩ情報を選択するＲＯＩ選択画面１２００の一例を示す図である。ＲＯＩ選択画面１２００には、所見情報３３４ｃに関係付けられた医用表示画像３３３ｂが表示される。ユーザは、方向キーやマウスクリックにより、医用表示画像３３３ｂ上において、ＲＯＩを選択することができる。ＯＫボタン１２０１がクリックされると、端末装置１００は、分割対象の所見情報に関係付けるＲＯＩを、選択したＲＯＩに決定する。キャンセルボタン１２０２がクリックされると、端末装置１００は、選択処理を中断する。新規作成ボタン１２０３がクリックされると、端末装置１００は、ビューワ画面３１０上で、ＲＯＩを新規作成できる。
【００５３】
図１２（ｂ）は、代表画像の生成時に、分割対象の所見情報に関係付ける代表画像を選択する画像選択画面１２１０の一例を示す図である。分割対象の所見情報３３４ｃに２つの代表画像３３３ｍ、３３３ｎが対応付けられている場合には、画像選択画面１２１０には、２つの代表画像３３３ｍ、３３３ｎが表示される。この場合も端末装置１００は、ＲＯＩ選択画面１２００における操作と同様のユーザ操作に応じて、ＲＯＩを選択又は新規作成することができる。
【００５４】
図１３は、ＲＯＩを指定するアイコンの形状の説明図である。ＲＯＩのアイコンの形状は、図１３（ａ）に示すような矩形１３０１、図１３（ｂ）に示すような直線１３０２、図１３（ｃ）に示すような矢印１３０３、図１３（ｄ）に示すような三角形１３０４等である。なお、ＲＯＩの形状は、図１３の例に限定されるものではなく、円形、楕円形、多角形等、その他の形状であってもよい。
【００５５】
図１４は、端末装置１００によるメイン処理を示すフローチャートである。Ｓ１４０１において、表示処理部４１１は、画像ＤＢ１２１から画像情報を読み出す。表示処理部４１１はまた、レポートＤＢ１３１から読影レポート情報を読み出す。そして、表示処理部４１１は、画像情報及び読影レポート情報に基づいて、ビューワ画面３１０及びレポート画面３２０を表示するよう制御する。次に、Ｓ１４０２において、受付部４１２が、ビューワ画面３１０を介して、スライス送りや表示条件の変更等の画像の表示指示を受け付けると（Ｓ１４０２でＹｅｓ）、処理をＳ１４０３へ進める。ＣＰＵ２０２は、画像の表示指示を受け付けなかった場合には（Ｓ１４０２でＮｏ）、処理をＳ１４０４へ進める。
【００５６】
Ｓ１４０３において、表示処理部４１１は、対象画像の表示を表示指示に応じて変更する。次に、Ｓ１４０４において、受付部４１２は、レポート画面３２０のコントロール３３１を介して過去の検査の選択指示を受け付けると（Ｓ１４０４でＹｅｓ）、処理をＳ１４０５へ進める。受付部４１２は、過去の検査の選択指示を受け付けなかった場合には（Ｓ１４０４でＮｏ）、処理をＳ１４０６へ進める。
【００５７】
Ｓ１４０５において、表示処理部４１１は、選択指示に係る読影レポート情報をレポートＤＢ１３１から読み出し、レポート画面３２０に表示する。次に、Ｓ１４０６において、受付部４１２は、所見情報の引継ぎ指示を受け付けると（Ｓ１４０６でＹｅｓ）、処理をＳ１４０７へ進める。受付部４１２は、所見情報の引継ぎ指示を受け付けなかった場合には（Ｓ１４０６でＮｏ）、処理をＳ１４０８へ進める。
【００５８】
Ｓ１４０７において、編集部４１３は、引継ぎ指示に係る情報を今回読影レポート情報に引継ぎコピーする。引継ぎ指示は、ユーザが引継ぎボタン６０２をクリックした場合に、受付部４１２が引継ぎ指示を受け付けるものとする。引継ぎコピーとは、過去の所見と経時的な関係を持つコピーのことを呼ぶ。また、引継ぎ元となる情報は、ユーザ操作に応じて指定される。また、指定された情報は、ハイライト表示される。以下、特に断らない限り、レポートの作成、編集操作は、ユーザ操作に応じて指定された情報に対して、ユーザ操作に応じた編集を編集部４１３が行う。
【００５９】
次に、Ｓ１４０８において、受付部４１２は、ＲＯＩ情報の作成指示を受け付けると（Ｓ１４０８でＹｅｓ）、処理をＳ１４０９へ進める。受付部４１２は、ＲＯＩ情報の作成指示を受け付けなかった場合には（Ｓ１４０８でＮｏ）、処理をＳ１４１１へ進める。Ｓ１４０９において、編集部４１３は、ＲＯＩが作成された画像に対応する代表画像、代表画像に対応する所見が存在しなければ代表画像、所見情報をそれぞれ作成する。次に、Ｓ１４１０において、編集部４１３は、ＲＯＩ情報を作成し、対応する代表画像との関連付けを行う。ここで、関連付けとは、ＲＯＩ情報と、所見情報と、代表画像とを対応付けて記録する処理であり、本実施形態においては、ＲＯＩ情報と、所見情報と、代表画像とを同一の読影レポート情報に追加する処理となる。
【００６０】
次に、Ｓ１４１１において、受付部４１２は、項目の作成指示を受け付けると（Ｓ１４１１でＹｅｓ）、処理をＳ１４１２へ進める。ここで、項目は、所見情報、診断情報、推奨情報等、情報種別に相当する。受付部４１２は、項目の作成指示を受け付けなかった場合には（Ｓ１４１１でＮｏ）、処理をＳ１４１３へ進める。Ｓ１４１２において、編集部４１３は、作成指示に係る項目を新規作成する。
【００６１】
次に、Ｓ１４１３において、受付部４１２は、項目内のテキストの編集指示を受け付けると（Ｓ１４１３でＹｅｓ）、処理をＳ１４１４へ進める。受付部４１２は、テキストの編集指示を受け付けなかった場合には（Ｓ１４１３でＮｏ）、処理をＳ１４１５へ進める。Ｓ１４１４において、編集部４１３は、編集指示に従い指定項目のテキストを編集する。ここで、テキストの編集とは、文字の入力、文字の削除、文字列の選択、文字列のカット、文字列のコピー、文字列のペースト等である。
【００６２】
次に、Ｓ１４１５において、受付部４１２は、関係付けの変更指示を受け付けると（Ｓ１４１５でＹｅｓ）、処理をＳ１４１６へ進める。受付部４１２は、関係付けの変更指示を受け付けなかった場合には（Ｓ１４１５でＮｏ）、処理をＳ１４１７へ進める。Ｓ１４１６において、編集部４１３は、変更指示に従い、関係先又は関係元を指定項目に変更する。なお、ユーザが、関係付けを示す線の端点のドラッグ＆ドロップを行った場合に、受付部４１２は、ドロップされた先が、新たな関係先又は関係元として指定された変更指示を受け付ける。
【００６３】
Ｓ１４１７において、受付部４１２は、項目の追加指示を受け付けると（Ｓ１４１７でＹｅｓ）、処理をＳ１４１８へ進める。受付部４１２は、項目の追加指示を受け付けなかった場合には（Ｓ１４１７でＮｏ）、処理をＳ１４２０へ進める。Ｓ１４１８において、編集部４１３は、追加指示に係る新規項目を作成する。次に、Ｓ１４１９において、編集部４１３は、追加指示に係る新規項目と指定項目の関係付けを行う。例えば、ユーザが、所見情報を指定してＴＡＢキーを押下すると、編集部４１３は、指定された所見情報に関係付けされた診断情報を作成する。同様に、ユーザが、診断情報を指定してＴＡＢキーを押下すると、編集部４１３は、診断情報に関係付けされた推奨情報を作成する。また、ユーザが、診断情報を指定して、所定のショートカットキーを押下すると、編集部４１３は、診断情報に関係付けされた所見情報に新たな診断情報を追加する。項目の追加操作は一例であり、これに限られるものではない。
【００６４】
次に、Ｓ１４２０において、受付部４１２は、関係付けの追加指示を受け付けると（Ｓ１４２０でＹｅｓ）、処理をＳ１４２１へ進める。受付部４１２は、関係付けの追加指示を受け付けなかった場合には（Ｓ１４２０でＮｏ）、処理をＳ１４２２へ進める。Ｓ１４２１において、編集部４１３は、追加指示に係る複数の指定項目間を関係付ける処理を行う。例えば、ユーザがある所見情報をある診断情報にドラッグ＆ドロップすると、受付部４１２は、追加指示を受け付け、編集部４１３は、ドラッグ＆ドロップに係る所見情報と診断情報を関係付ける。なお、関係付けの追加指示に対応するユーザ操作は一例であり、これに限られるものではない。
【００６５】
次に、Ｓ１４２２において、受付部４１２は、所見情報の分割指示を受け付けると（１４２２でＹｅｓ）、処理をＳ１４２３へ進める。受付部４１２は、所見情報の分割指示を受け付けなかった場合には（Ｓ１４２２でＮｏ）、処理をＳ１４２５へ進める。ここで、Ｓ１４２２の処理は、分割指示を受け付ける受付処理の一例である。Ｓ１４２３において、編集部４１３は、所見情報分割処理を行う。次に、Ｓ１４２４において、編集部４１３は、画像分割処理を行う。なお、所見情報分割処理（Ｓ１４２３）及び画像分割処理（Ｓ１４２４）については、それぞれ図１５及び図１６を参照しつつ後に詳述する。
【００６６】
なお、分割指示を入力するためのユーザ操作としては、図７（ａ）に示すように、所見情報の文字列を診断情報に関係付ける操作が挙げられる。また、他の例としては、文字列を選択してＴＡＢキーを押下することによる新規診断の追加操作、その他ショートカットキーの押下操作、メニュー選択操作等が挙げられる。
【００６７】
次に、Ｓ１４２５において、受付部４１２は、項目の削除指示を受け付けると（Ｓ１４２５でＹｅｓ）、処理をＳ１４２６へ進める。受付部４１２は、項目の削除指示を受け付けなかった場合には（Ｓ１４２５でＮｏ）、処理をＳ１４２８へ進める。Ｓ１４２６において、編集部４１３は、削除指示に係る項目を削除する。次に、Ｓ１４２７において、編集部４１３は、削除指示に係る項目が関係する関係情報も削除する。なお、ユーザが、項目をマウスクリックや方向キーで指定した状態でＤｅｌｅｔｅキーを押下すると、受付部４１２は、項目の削除指示を受け付ける。
【００６８】
次に、Ｓ１４２８において、受付部４１２は、関係付けの削除指示を受け付けると（Ｓ１４２８でＹｅｓ）、処理をＳ１４２９へ進める。受付部４１２は、関係付けの削除指示を受け付けなかった場合には（Ｓ１４２８でＮｏ）、処理をＳ１４３０へ進める。Ｓ１４２９において、編集部４１３は、削除指示に係る関係情報を削除する。なお、ユーザが、関係付けを示す線をマウスクリックし、選択した状態でＤｅｌｅｔｅキーを押下すると、受付部４１２は、関係付けの削除指示を受け付ける。
【００６９】
次に、Ｓ１４３０において、受付部４１２は、所見情報の文字列とＲＯＩとの関係付け指示を受け付けると（Ｓ１４３０でＹｅｓ）、処理をＳ１４３１へ進める。受付部４１２は、関係付け指示を受け付けなかった場合には（Ｓ１４３０でＮｏ）、処理をＳ１４３２へ進める。Ｓ１４３１において、受付部４１２は、対象の文字列とＲＯＩ情報とを関係付ける。なお、ユーザが、図１１に示すように、所見情報内の文字列を選択し、ＲＯＩ情報にドラッグ＆ドロップする操作を行った場合に、受付部４１２は、関係付け指示を受け付ける。
【００７０】
また、所見情報の文字列とＲＯＩ情報の関係付けは、文字列の所定の位置（前或いは後ろ）にＲＯＩ情報（ＲＯＩを識別する文字列）を挿入する処理である。また、他の例としては、関係付けは、両情報の関係情報を生成し、読影レポート情報５００に追加する処理であってもよい。
【００７１】
次に、Ｓ１４３２において、受付部４１２は、時系列表示の切替指示を受け付けると（Ｓ１４３２でＹｅｓ）、処理をＳ１４３３へ進める。受付部４１２は、時系列表示の切替指示を受け付けなかった場合には（Ｓ１４３２でＮｏ）、処理をＳ１４３４へ進める。Ｓ１４３３において、編集部４１３は、切替指示に従い、図１０を参照しつつ説明した時系列表示の表示／非表示を制御する。なお、ユーザが、時系列表示ボタン３５０（図３参照）をクリックすると、受付部４１２は、時系列表示への切替指示を受け付ける。また、ユーザが、レポートの表示ボタン１００２（図１０参照）をクリックすると、時系列表示の表示停止への切替指示を受け付ける。
【００７２】
次に、Ｓ１４３４において、受付部４１２は、確定保存指示を受け付けると（Ｓ１４３４でＹｅｓ）、処理をＳ１４３５へ進める。受付部４１２は、確定保存指示を受け付けなかった場合には（Ｓ１４３４でＮｏ）、処理をＳ１４３６へ進める。なお、ユーザが、確定保存ボタンのクリック等の操作を行うと、受付部４１２は、確定保存指示を受け付ける。Ｓ１４３５において、編集部４１３は、読影レポート情報５００をレポートＤＢ１３１に確定状態で保存する。
【００７３】
次に、Ｓ１４３６において、受付部４１２は、一時保存指示を受け付けると（Ｓ１４３６でＹｅｓ）、処理をＳ１４３７へ進める。受付部４１２は、一時保存指示を受け付けなかった場合には（Ｓ１４３６でＮｏ）、処理をＳ１４３８へ進める。なお、ユーザが、一時保存ボタンのクリック等の操作を行うと、受付部４１２は、一時保存指示を受け付ける。Ｓ１４３７において、編集部４１３は、読影レポート情報を一時保存状態で保存する。Ｓ１４３８において、受付部４１２は、未保存終了指示を受け付けると（Ｓ１４３８でＹｅｓ）、処理を終了する。受付部４１２は、未保存終了指示を受け付けなかった場合には（Ｓ１４３８でＮｏ）、処理をＳ１４０２へ進める。なお、ユーザが、未保存終了ボタンのクリック等の操作を行うと、受付部４１２は、未保存終了指示を受け付ける。
【００７４】
図１５は、図１４を参照しつつ説明した所見情報分割処理（Ｓ１４２３）における詳細な処理を示すフローチャートである。Ｓ１５０１において、編集部４１３は、新規の所見情報を作成し、読影レポート情報５００に記録する。次に、Ｓ１５０２において、編集部４１３は、分割元となる所見情報に対応付けられている引継ぎ関係を、新規作成した所見情報に対して関係付ける。ここで、引継ぎ関係とは、図５を用いて説明した、関係種別が「引継ぎ」である関係情報であり、過去の所見と今回の所見との経時的な対応関係を表している。
【００７５】
次に、Ｓ１５０３において、編集部４１３は、分割指示における、分割位置の指定方法を確認する。編集部４１３は、分割位置が指定されている場合には（Ｓ１５０３で位置）、処理をＳ１５０４へ進める。編集部４１３は、分割範囲が指定されている場合には（１５０３で範囲）、処理をＳ１５０５へ進める。Ｓ１５０４において、編集部４１３は、指定された分割位置以降の文字列を分割範囲に設定し、その後処理をＳ１５０６へ進める。Ｓ１５０５において、編集部４１３は、指定された分割範囲を分割範囲に設定し、その後処理をＳ１５０６へ進める。
【００７６】
Ｓ１５０６において、編集部４１３は、分割範囲の文字列を、Ｓ１５０１において作成した新規の所見情報として記録する。すなわち、編集部４１３は、分割範囲の文字列を所見情報として読影レポート情報に記録する。さらに、編集部４１３は、分割元の所見情報から、分割範囲の文字列を削除する。ここで、分割位置が指定された所見分割の操作は、所見のテキスト内にマウスカーソルがある状態での所定のショートカットキー操作であり、マウスカーソル位置以降が分割範囲となる。また、分割範囲が指定された所見分割の操作は、所見のテキストを範囲指定した状態での所定のショートカットキー操作であり、範囲指定されたテキストが分割範囲となる。
【００７７】
次に、Ｓ１５０７において、受付部４１２は、分割指示と共に、新規診断の追加指示を受け付けた場合には（Ｓ１５０７でＹｅｓ）、処理をＳ１５０８へ進める。編集部４１３は、新規診断の追加指示を受け付けなかった場合には（Ｓ１５０７でＮｏ）、処理をＳ１５１０へ進める。Ｓ１５０８において、編集部４１３は、新規の診断情報を作成する。次に、Ｓ１５０９において、編集部４１３は、作成した新規の診断情報と、Ｓ１５０１において作成した新規の所見情報との関係付けを行う。
【００７８】
次に、Ｓ１５１０において、受付部４１２は、分割指示と共に、既存の診断情報との関係付け指示を受け付けた場合には（Ｓ１５１０でＹｅｓ）、処理をＳ１５１１へ進める。編集部４１３は、診断情報との関係付け指示を受け付けなかった場合には（Ｓ１５１０でＮｏ）、処理をＳ１５１２へ進める。Ｓ１５１１において、編集部４１３は、指定された診断情報と、Ｓ１５０１において作成した新規の所見情報との関係付けを行う。
【００７９】
次に、Ｓ１５１２において、表示処理部４１１は、所見情報の表示を更新する。具体的には、図７（ｂ）に示すように、表示処理部４１１は、情報７００ａを、所見情報３３４ｂと異なる新たな所見情報３３４ｄとして表示する。表示処理部４１１は、さらに、所見情報３３４ｂから情報７００ａを削除した、新たな所見情報３３４ｃを表示する。以上で、所見情報分割処理が終了する。
【００８０】
図１６は、図１４を参照しつつ説明した画像分割処理（Ｓ１４２４）における詳細な処理を示すフローチャートである。Ｓ１６０１において、編集部４１３は、分割に際し新たに生成された所見情報に対応するＲＯＩ情報を、分割元の代表画像に関係付けられたＲＯＩ情報の中から特定する。なお、ＲＯＩ特定処理については、図１７を参照しつつ後に詳述する。
【００８１】
次に、Ｓ１６０２において、編集部４１３は、特定されたＲＯＩ情報が１つのみの場合には（Ｓ１６０２でＹｅｓ）、処理をＳ１６０９へ進める。編集部４１３は、特定されたＲＯＩ情報が１つのみでない場合、すなわち特定されたＲＯＩ情報が複数ある場合、又は特定されたＲＯＩ情報がない場合には（Ｓ１６０２でＮｏ）、処理をＳ１６０３へ進める。Ｓ１６０３において、表示処理部４１１は、ＲＯＩ選択画面１２００（図１２（ａ）参照）を表示する。次に、Ｓ１６０４において、受付部４１２がユーザ操作に応じてＲＯＩの選択指示を受け付けると（Ｓ１６０４でＹｅｓ）、処理をＳ１６０９へ進める。受付部４１２が選択指示を受け付けなかった場合には（Ｓ１６０４でＮｏ）、処理をＳ１６０５へ進める。
【００８２】
Ｓ１６０５において、編集部４１３は、画像選択画面１２１０（図１２（ｂ）参照）を表示する。次に、Ｓ１６０６において、受付部４１２は、ユーザによる代表画像の選択を受け付ける。次に、Ｓ１６０７において、編集部４１３は、選択された代表画像をＳ１４２３において作成された新規の所見情報に対応する代表画像として、読影レポート情報に記録する。具体的には、編集部４１３は、新規の所見情報と代表画像とを関係付けて記録する。次に、Ｓ１６０８において、表示処理部４１１は、新規の所見情報に紐付けて、選択された代表画像を医用表示画像として表示する。以上で、代表画像の生成処理が終了する。
【００８３】
一方、Ｓ１６０９において、編集部４１３は、新規の所見情報に、Ｓ１６０１又はＳ１６０４において特定されたＲＯＩ情報と、当該ＲＯＩ情報に関係付けられた代表画像と、を関係付ける。次に、Ｓ１６１０において、編集部４１３は、分割元の所見情報と、Ｓ１６０１又はＳ１６０４において特定されたＲＯＩ情報とを関係付ける情報を削除する。
【００８４】
次に、Ｓ１６１１において、編集部４１３は、分割元の所見情報に関係付けられている代表画像で、新規所見情報にも関係付けられた代表画像と、分割元の所見情報とを関係付ける情報を、削除可能か否かを判断する。編集部４１３は、分割元の所見情報と、代表画像に関係付けられたＲＯＩ情報とが関係付けられていない場合に、削除可能と判断する。編集部４１３は、削除可能な場合には（Ｓ１６１１でＹｅｓ）、処理をＳ１６１２へ進める。編集部４１３は、削除不可な場合には（１６１１でＮｏ）、処理をＳ１６１３へ進める。Ｓ１６１２において、編集部４１３は、分割元の所見情報と、新規所見情報に関係付けられた代表画像とを関係付ける情報を削除する。
【００８５】
次に、Ｓ１６１３において、表示処理部４１１は、医用表示画像の表示を更新する。具体的には、表示処理部４１１は、図７（ｂ）、図８に示すように、分割に係る内容に対応するＲＯＩの領域画像が重畳された医用表示画像を、新規の所見情報に紐付けて表示する。さらに、表示処理部４１１は、分割元の所見情報に紐付けられた医用表示画像を分割に係る内容に基づいて更新する。具体的には、表示処理部４１１は、分割元の所見情報に紐付けられた医用表示画像から、分割に係る内容に対応するＲＯＩの領域画像を削除することにより、新たな医用表示画像とする。以上で、画像分割処理を終了する。
【００８６】
図１７は、図１６を参照しつつ説明したＲＯＩ情報特定処理における詳細な処理を示すフローチャートである。Ｓ１７０１において、編集部４１３は、読影レポート情報５００に基づき、分割対象の所見情報の文字列に関係付けられたＲＯＩ情報の有無を確認する。ＲＯＩ情報が存在する場合には（Ｓ１７０１でＹｅｓ）、処理をＳ１７０２へ進める。編集部４１３は、ＲＯＩ情報が存在しない場合には（Ｓ１７０１でＮｏ）、処理をＳ１７０３へ進める。Ｓ１７０２において、編集部４１３は、関係付けされたＲＯＩ情報を分割に際し新たに生成された新規の所見情報に対応するＲＯＩ情報として特定し、処理を終了する。
【００８７】
Ｓ１７０３において、編集部４１３は、分割対象の所見情報にＲＯＩを識別する文字列が含まれているか否かを確認する。編集部４１３は、ＲＯＩを識別する文字列が含まれている場合には（Ｓ１７０３でＹｅｓ）、処理をＳ１７０４へ進める。編集部４１３は、ＲＯＩを識別する文字列が含まれていない場合には（Ｓ１７０３でＮｏ）、処理をＳ１７０５へ進める。
【００８８】
Ｓ１７０４において、編集部４１３は、文字列により識別されるＲＯＩ情報を、新規の所見情報に対応するＲＯＩ情報として特定し、処理を終了する。ここで、ＲＯＩを識別する文字列とは、前述のＲＯＩ番号にデリミタを含む文字列（例えば「１：」）である。なお、他の例としては、ＲＯＩを識別する文字列は、ＲＯＩの形状や色を表現する文字列（例えば「白矢印」、「黄三角」、「破線四角」）であってもよい。
【００８９】
Ｓ１７０５において、編集部４１３は、分割対象の文字列に関係付けられた画像の部位の位置を特定する。以下、部位の位置を特定する処理について説明する。編集部４１３は、まず、ＤＩＣＯＭ情報から、撮影部位情報を取得し、画像のスライス位置情報を取得し、患者年齢や性別情報を取得する。続いて、編集部４１３は、取得した情報に基づき、対応する人体モデル情報を取得し、画像の３次元画像を取得する。ここで、人体モデル情報とは、解剖学的な部位の標準的な位置や範囲を定義した情報であり、３次元画像とは、スライス画像がＺ軸方向に所定のスライス厚で連続したものである。
【００９０】
続いて、編集部４１３は、当該３次元画像と人体モデルとの位置合わせを行う。そして、編集部４１３は、位置合わせの結果に基づき、当該３次元画像上での部位の位置と範囲を特定する。ここで、位置合わせとは、３次元画像を濃度変化に基づき領域分割し、非線形な座標変換のパラメータを調整し、人体モデルとの差を最小化することである。ただし、位置合わせの方法は、実施形態に限定されるものではない。また、分割元の所見情報に関係付けされた代表画像が複数存在し、３次元画像が異なる場合は、編集部４１３は、全ての３次元画像に対して同様の処理を行う。なお、部位の位置を特定する処理は、実施形態に限定されるものではなく、その他の特定方法を用いてもよい。
【００９１】
次に、Ｓ１７０６において、編集部４１３は、所見情報の、分割対象の文字列から部位情報を抽出する。部位情報抽出では、文字列を形態素解析し、部位名を定義する辞書とのマッチングをとることで抽出する。ただし、部位情報の抽出方法は、実施形態に限定されるものではない。次に、Ｓ１７０７において、編集部４１３は、分割元の所見情報に関係付けられた代表画像を特定し、この代表画像に関係付けられたＲＯＩ情報を特定する。そして、編集部４１３は、特定したＲＯＩ情報を１つ読み出す。
【００９２】
次に、Ｓ１７０８において、編集部４１３は、ＲＯＩのアイコンの形状を確認する。編集部４１３は、ＲＯＩのアイコンの形状が、矩形、多角形、円形、楕円形である場合（Ｓ１７０８で多角形、円形又は楕円形）、処理をＳ１７０９へ進める。編集部４１３は、ＲＯＩのアイコンの形状が、直線又は両方向矢印の場合には（Ｓ１７０８で直線又は両方向矢印）、処理をＳ１７１０へ進める。編集部４１３は、ＲＯＩのアイコンの形状が、矢印又は三角形の場合には（Ｓ１７０８で矢印又は三角形）、処理をＳ１７１１へ進める。
【００９３】
Ｓ１７０９において、編集部４１３は、ＲＯＩのアイコンで囲まれた内側の所定の領域に対応する部位をＲＯＩの部位として特定し、その後処理をＳ１７１２へ進める。Ｓ１７１０において、編集部４１３は、ＲＯＩのアイコンの両端を含む所定の領域に対応する部位をＲＯＩの部位として特定し、その後処理をＳ１７１２へ進める。Ｓ１７１１において、編集部４１３は、ＲＯＩのアイコンの先端からＲＯＩのアイコンの方向に所定範囲の領域に対応する部位をＲＯＩの部位として特定し、その後処理をＳ１７１２へ進める。
【００９４】
Ｓ１７１２において、編集部４１３は、ＲＯＩの部位と、分割対象の文字列から抽出された部位情報とが一致するＲＯＩを特定する。そして、編集部４１３は、特定したＲＯＩを示すＲＯＩ情報を、新たに生成された所見情報に対応するＲＯＩ情報として特定する。次に、Ｓ１７１３において、編集部４１３は、分割元の所見情報に対応付けられたすべてのＲＯＩ情報に対し、Ｓ１７０７〜Ｓ１７１２の処理を行ったか否かを確認する。編集部４１３は、すべてのＲＯＩ情報に対する処理を終了した場合には（Ｓ１７１３でＹｅｓ）、ＲＯＩ情報特定処理を終了する。編集部４１３は、未処理のＲＯＩ情報が存在する場合には（Ｓ１７１３でＮｏ）、処理をＳ１７０７へ進める。なお、所見情報分割処理（Ｓ１４２３）及び画像分割処理（Ｓ１４１４）は、新規の所見情報（医用情報）と、対応する関心領域と、代表画像としての撮影画像とを関係付けて記憶部に登録する登録処理の一例である。
【００９５】
以上のように、本実施形態に係る端末装置１００は、所見情報が分割された場合に、これに対応し、代表画像と所見情報の関係及びその表示を自動的に更新することができる。本実施形態に係る端末装置１００は、所見情報が分割された場合に、これに対応し、代表画像と所見情報の関係を自動的に更新することができる。したがって、複数の医用情報間の関係を登録するためのユーザ操作を省略することができる。また、端末装置１００は、分割する所見情報の文字列とＲＯＩとの関係付けが明示されていない場合でも、対応するＲＯＩを自動的に特定し、代表画像を生成することができる。また、端末装置１００は、選択された文字列と診断情報との関係付けや、新規に生成された診断情報の追加に応じて所見情報の関係付けを実施することができる。以上のように、ユーザ操作を省略することができる。以上のように、端末装置１００は、病変の単位が変更になった場合においても、病変の経時的な変化を追跡可能に、医用情報を表示することができる。
【００９６】
本実施形態に係る医用情報表示システムの変更例について説明する。本実施形態においては、端末装置１００は、１つの所見情報が複数の所見情報に分割される場合に、分割後の各所見情報とＲＯＩ情報とを関係付ける情報を記録する。そして、表示処理部４１１が表示時に代表画像上にＲＯＩ情報に対応する領域画像を重畳して描画することにより、医用表示画像を表示する。ただし、端末装置１００は、医用表示画像と所見情報とを紐付けて表示するための情報を記憶していればよく、そのためのデータ構成は実施形態に限定されるものではない。他の例としては、編集部４１３は、分割指示を受け付けた場合に、分割後の所見情報と紐付けて表示される医用表示画像を生成し、生成した医用表示画像と所見情報とを関係付けて記録してもよい。この場合には、表示処理部４１１は、医用表示画像の表示時には、所見情報に関係付けて記憶されている医用表示画像を読み出して、表示すればよい。すなわち、編集部４１３は、代表画像をコピーし、コピーした代表画像と新規の所見情報との間に、新規の関係付けの情報を追加し、コピー元の代表画像に関係付けられたＲＯＩ情報が存在しない場合にはコピー元の代表画像を削除してもよい。
【００９７】
（第２の実施形態）
次に、第２の実施形態に係る医用情報表示システムについて説明する。第２の実施形態に係る医用情報表示システムにおいては、端末装置１００は、所見の検出をＣＡＤｅで行い、また医療文書の分割だけでなく、統合も行う。以下、第２の実施形態に係る医用情報表示システムについて、第１の実施形態に係る医用情報表示システムと異なる点について説明する。
【００９８】
図１８は、第２の実施形態に係る読影レポート情報の一例を示す図である。読影レポート情報１８００は、読影レポート情報５００と同様に、複数の医用文書と、複数の関係情報と、を含んでいる。読影レポート情報１８００においては、情報種別「グループ所見」の医用情報が含まれている。以下、情報種別「グループ所見」の医用情報を適宜「グループ所見情報」と称する。グループ所見情報は、ＵＩＤ、自由文、部位名、病変種別及び複数の子情報ＵＩＤの属性情報を含んでいる。ここで、子情報ＵＩＤとは、グループ化される所見情報のＵＩＤである。
【００９９】
図１９（ａ）は、新規に今回の読影レポート情報を作成する際のレポート画面３２０の表示例を示す図である。所見情報３３４ｆは、ＣＡＤｅの検出結果を統合した所見を示す情報である。所見情報３３４ｆにおいて、「６：部位名  右肺Ｓ２、所見名  結節」、「７：部位名  左肺Ｓ１＋Ｓ２、所見名  結節」はそれぞれＣＡＤｅで検出された所見情報である。所見情報３３４ｆは、これらを統合（グループ化）し、さらに、読影医等のユーザにより入力された「１：両肺野に多発結節を認めます。右肺Ｓ２の結節は・・・。」が追加された情報である。レポート画面３２０のこれ以外の情報は、第１の実施形態において、図６（ａ）を参照しつつ説明したレポート画面３２０と同様である。
【０１００】
図１９（ｂ）は、引継ぎコピー後のレポート画面３２０の表示例を示す図である。所見情報３３４ｇは、所見情報３３４ｆを引継ぎコピーした所見であり、所見情報３３４ｇと所見情報３３４ｆは引継ぎ関係を持つ。なお、引継ぎコピー後のレポート画面３２０のこれ以外の情報についても、第１の実施形態において、図６（ｂ）を参照しつつ説明したレポート画面３２０と同様である。
【０１０１】
図２０は、所見情報の分割時のレポート画面３２０の表示例を示す図である。図２０（ａ）は、所見情報の分割指示を入力する際のレポート画面３２０の表示例を示す図である。ユーザが、所見情報３３４ｇ中の「右肺Ｓ２の結節は・・・。」の文字列２０００ａを範囲選択し、診断情報３３５ｃにドラッグ＆ドロップすると（２０００ｂ）、受付部４１２は、所見情報３３４ｇから文字列２０００ａを分割することを示す分割指示を受け付ける。分割指示を受け付けると、表示処理部４１１は、文字列２０００ａを新たな所見情報として表示し、さらに、所見情報３３４ｇの表示から文字列２０００ａの表示を削除する。
【０１０２】
図２０（ｂ）は、分割指示に応じた処理後のレポート画面３２０を示す図である。図２０（ｂ）に示すレポート画面３２０において、所見情報３３４ｇは、分割指示に従い、所見情報３３４ｈと所見情報３３４ｉに分割される。所見情報３３４ｉは、ＲＯＩに対応するＣＡＤｅの結果である「部位名  右肺Ｓ２、所見名  結節」の文字列である。なお、所見情報３３４ｈにおいては、文字列２０００ａに対応する内容、すなわち文字列２０００ａと、「部位名  右肺Ｓ２、所見名  結節」は削除されている。
【０１０３】
なお、「６：部位名  右肺Ｓ２、所見名  結節」、「７：部位名  左肺Ｓ１＋Ｓ２、所見名 結節」等のＣＡＤｅの検出結果も、表の列を選択することで、ドラッグ＆ドロップにより、所見情報の分割対象とすることができる。これ以外の表示内容については、第１の実施形態において図７を参照しつつ説明した表示内容と同様である。
【０１０４】
図２１は、所見情報の分割前後の医用表示画像を示す図である。第１の実施形態において図８を参照しつつ説明したのと同様に、所見情報３３４ｇが所見情報３３４ｈ、３３４ｉに分割されると、分割に係る文字列とＲＯＩとの対応関係に基づいて、医用表示画像３３３ｃ、３３３ｄが生成され、表示される。
【０１０５】
図２２は、所見情報及び医用表示画像の統合処理の説明図である。複数の所見情報が統合された所見情報３３４ｊに、所見情報３３４ｋを統合し、所見情報３３４ｇが生成されたとする。なお、所見情報３３４ｊ、３３４ｋには、それぞれ医用表示画像３３３ｊ、３３３ｋが紐付けて表示されているとする。この場合、所見情報の統合に応じて、所見情報３３４ｇに対応する医用表示画像３３３ｂが生成され、表示される。このとき表示される医用表示画像３３３ｂには、医用表示画像３３３ｊ及び医用表示画像３３３ｋのそれぞれに示される領域画像が重畳されている。なお、統合処理については、図２７及び図２８を参照しつつ後述する。
【０１０６】
図２３は、所見情報の統合時に医用表示画像が統合されない場合の所見情報等の表示例を示す図である。医用表示画像３３３ｌと、医用表示画像３３３ｍは、スライス位置が異なる。このようにスライス位置の異なる代表画像に対応する医用表示画像については、対応する所見情報３３４ｊ及び所見情報３３４ｋの統合時、医用表示画像の統合は行われない。すなわち、図２３に示すように、各医用表示画像３３３ｌ、３３３ｍが、所見情報３３４ｇに紐付けて表示される。
【０１０７】
図２４は、ＦＯＶ（Field  of  View）が異なる医用表示画像の統合処理時の医用表示画像等の表示例を示す図である。ここで、ＦＯＶとは、スライス画像上での表示範囲である。医用表示画像３３３ｎと医用表示画像３３３ｐは、同一のスライス画像であるがＦＯＶが異なっている。そこで、この場合、端末装置１００は、両者のＦＯＶを包含するＦＯＶの画像で、統合された医用表示画像３３３ｑを生成し、これを表示する。なお、統合された所見情報（所見情報のグループ）に対応するＲＯＩ（ＲＯＩ番号が１）は、統合される所見のＲＯＩ（ＲＯＩ番号が６）のＲＯＩを含む範囲に、自動的に変更される。
【０１０８】
また、他の例としては、図２５に示すように、所見情報３３４ｍと所見情報３３４ｎが統合される場合、端末装置１００は、ＲＯＩ番号が３のＲＯＩに対応する所見情報（所見情報のグループ）を生成してもよい。さらに、端末装置１００は、ＲＯＩ番号１のＲＯＩに対応する所見情報の入力枠とＲＯＩ番号２に対応する入力枠を提示してもよい。
【０１０９】
図２６は、第２の実施形態に係る端末装置１００によるメイン処理を示すフローチャートである。図２６において、第１の実施形態に係るメイン処理の各処理と同一の処理には同一の符号を付している。Ｓ１４０１の処理の後、ＣＰＵ２０２は、処理をＳ２６０１へ進める。Ｓ２６０１において、編集部４１３は、検査対象となる画像に対してＣＡＤｅを実行する。そして、編集部４１３は、病変の検出結果を所見情報として読影レポート情報に追加し、その後処理をＳ１４０２へ進める。ここで、ＣＡＤｅは、任意のＣＡＤｅであり、特に限定されるものではない。
【０１１０】
また、第２の実施形態における所見情報分割処理（Ｓ２６０２）は、第１の実施形態において説明した所見情報分割処理（Ｓ１４２３）とは異なる処理である。所見情報分割処理（Ｓ２６０２）については、図２９を参照しつつ後述する。
【０１１１】
また、Ｓ１４３０でＮｏと判断された場合、及びＳ１４３１の処理の後、ＣＰＵ２０２は、処理をＳ２６１１へ進める。Ｓ２６１１において、受付部４１２は、所見情報の統合指示を受け付けると（Ｓ２６１１でＹｅｓ）、処理をＳ２６１２へ進める。受付部４１２は、所見情報の統合指示を受け付けなかった場合には（Ｓ２６１１でＮｏ）、処理をＳ１４３２へ進める。Ｓ２６１２において、編集部４１３は、所見情報統合処理を行う。次に、Ｓ２６１３において、編集部４１３は、画像統合処理を行う。なお、所見情報統合処理（Ｓ２６１２）及び画像統合処理（Ｓ２６１３）については、それぞれ図２７及び図２８を参照しつつ後述する。
【０１１２】
図２７は、図２６を参照しつつ説明した所見情報統合処理（Ｓ２６１２）における詳細な処理を示すフローチャートである。Ｓ２７０１において、編集部４１３は、統合対象として指定された所見情報が属するグループが存在するか否かを確認する。編集部４１３は、グループが存在する場合には（Ｓ２７０１でＹｅｓ）、処理をＳ２７０２へ進める。編集部４１３は、グループが存在しない場合には（Ｓ２７０１でＮｏ）、処理をＳ２７０３へ進める。Ｓ２７０２において、編集部４１３は、既に存在するグループに、統合対象の他の所見情報を追加する。以上で、所見情報統合処理が終了する。
【０１１３】
一方、Ｓ２７０３においては、編集部４１３は、新規に所見情報のグループを生成する。次に、Ｓ２７０４において、編集部４１３は、統合対象として指定された所見情報をＳ２７０３で生成された、新規のグループに追加する。以上で、所見情報統合処理が終了する。なお、Ｓ２７０１において、複数のグループが存在する場合には、編集部４１３は、１つのグループに統合することとする。また、この場合、他の例としては、編集部４１３は、複数のグループを階層的に統合してもよい。また、この場合、編集部４１３は、上記２つの方法のいずれとするかをユーザ操作に応じて選択してもよい。
【０１１４】
図２８は、図２６を参照しつつ説明した画像統合処理（Ｓ２６１３）における詳細な処理を示すフローチャートである。Ｓ２８０１において、編集部４１３は、統合対象の所見情報に関係付けられた代表画像の中で、同一のスライス画像、同一の表示条件に対応する代表画像が存在するか否かを確認する。編集部４１３は、同一のスライス画像、同一の表示条件に対応する代表画像が存在する場合には（Ｓ２８０１でＹｅｓ）、処理をＳ２８０３へ進める。編集部４１３は、同一のスライス画像、同一の表示条件に対応する代表画像が存在しない場合には（Ｓ２８０１でＮｏ）、処理をＳ２８０２へ進める。
【０１１５】
Ｓ２８０２において、編集部４１３は、図２３を参照しつつ説明したように、統合対象の所見情報に関係付けられた代表画像及びＲＯＩ情報をそれぞれ統合後の所見情報に関係付ける。すなわち、編集部４１３は、代表画像と所見情報とＲＯＩ情報の関係付けを変更する。以上で、画像統合処理が終了する。なお、表示条件とは、画像を表示する際のウインドウレベルやウインドウ幅である。
【０１１６】
Ｓ２８０３において、編集部４１３は、Ｓ２８０１において特定された、同一のスライス画像、同一の表示条件に対応する代表画像にＲＯＩ情報が関係付けられているか否かを確認する。編集部４１３は、ＲＯＩ情報が関係付けられている場合には（Ｓ２８０３でＹｅｓ）、処理をＳ２８０５へ進める。編集部４１３は、ＲＯＩ情報が関係付けられていない場合には（Ｓ２８０３でＮｏ）、処理をＳ２８０４へ進める。Ｓ２８０４において、編集部４１３は、同一のスライス画像、同一の表示条件に対応する代表画像を、統合後の所見情報に関係付ける。以上で画像統合処理が終了する。
【０１１７】
Ｓ２８０５において、編集部４１３は、同一のスライス画像、同一の表示条件に対応する代表画像間でＦＯＶが異なるか否かを確認する。編集部４１３は、ＦＯＶが異なる場合には（Ｓ２８０５でＹｅｓ）、処理をＳ２８０７へ進める。編集部４１３は、ＦＯＶが等しい場合には（Ｓ２８０５でＮｏ）、処理をＳ２８０６へ進める。Ｓ２８０６において、編集部４１３は、同一のスライス画像、同一の表示条件に対応する代表画像と、統合対象の各所見情報に関係付けられているＲＯＩ情報を、統合後の所見情報に関係付ける。以上で、画像統合処理が終了する。
【０１１８】
Ｓ２８０７において、編集部４１３は、すべてのＦＯＶを含む代表画像を選択する。次に、Ｓ２８０８において、編集部４１３は、Ｓ２８０７において選択された代表画像と、統合対象の各所見情報に関係付けられているＲＯＩ情報を、統合後の所見情報に関係付ける。以上で、画像統合処理が終了する。
【０１１９】
なお、統合対象の所見情報に関係付けられた代表画像において、同一のスライス画像、同一の表示条件の代表画像のセットが複数存在する場合がある。この場合には、編集部４１３は、各セットに対し、Ｓ２８０３〜Ｓ２８０８の処理を実行する。
【０１２０】
図２９は、図２６を参照しつつ説明した所見情報分割処理（Ｓ２６０２）における詳細な処理を示すフローチャートである。Ｓ２９０１において、編集部４１３は、分割対象として指定された所見情報がグループに含まれる所見情報（ＣＡＤｅで検出した所見の所見情報等）であるか否かを確認する。編集部４１３は、グループ内の所見情報でない場合には（Ｓ２９０１でＮｏ）、処理をＳ１５０１へ進める。なお、Ｓ１５０１〜Ｓ１５１１の処理は、図１５を参照しつつ説明した、第１の実施形態に係る所見情報分割処理と同様である。
【０１２１】
編集部４１３は、グループ内の所見情報である場合には（Ｓ２９０１でＹｅｓ）、処理をＳ２９０２へ進める。Ｓ２９０２において、編集部４１３は、分割対象の所見情報が複数存在するか否かを確認する。編集部４１３は、複数存在する場合には（Ｓ２９０２でＹｅｓ）、処理をＳ２９０４へ進める。編集部４１３は、複数存在しない場合には（Ｓ２９０２でＮｏ）、処理をＳ２９０３へ進める。
【０１２２】
Ｓ２９０３において、編集部４１３は、分割対象の所見情報をグループから分割する。具体的には、編集部４１３は、グループ所見情報から、分割対象の所見情報のＵＩＤを削除する。編集部４１３は、その後処理をＳ１５０７へ進める。Ｓ２９０４において、編集部４１３は、新規のグループを作成し、分割対象として指定された所見情報のＵＩＤを新規のグループのグループ所見情報に記録し、その後処理をＳ１５０７へ進める。なお、第２の実施形態に係る医用情報表示システムのこれ以外の構成及び処理は、第１の実施形態に係る医用情報表示システムの構成及び処理と同様である。
【０１２３】
以上のように、第２の実施形態に係る端末装置１００は、ＣＡＤｅの検出結果を用いることで、ＲＯＩと所見の対応付けを行う必要がなく、関係付けの手間を削減することができる。また、端末装置１００は、所見情報の分割だけでなく、所見情報が統合された場合に、これに対応し、代表画像と所見情報の関係付けを自動的に更新し、また両情報間の紐付けの表示状態も自動的に更新することができる。以上のように、端末装置１００は、病変の単位が変更になった場合においても、病変の経時的な変化を追跡可能に、医用情報を管理することができる。
【０１２４】
以上、本発明の好ましい実施形態について詳述したが、本発明は係る特定の実施形態に限定されるものではなく、特許請求の範囲に記載された本発明の要旨の範囲内において、種々の変形・変更が可能である。
【０１２５】
＜その他の実施形態＞
以上、実施形態例を詳述したが、本発明は例えば、システム、装置、方法、プログラム若しくは記録媒体(記憶媒体)等としての実施態様をとることが可能である。具体的には、複数の機器（例えば、ホストコンピュータ、インタフェース機器、撮像装置、ｗｅｂアプリケーション等）から構成されるシステムに適用しても良いし、また、一つの機器からなる装置に適用しても良い。
【０１２６】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【０１２７】
１００  端末装置
１２０  ＰＡＣＳ装置
１３０  レポート装置
【図１】
0006746360.tif 000002
【図２】
0006746360.tif 000003
【図３】
0006746360.tif 000004
【図４】
0006746360.tif 000005
【図５】
0006746360.tif 000006
【図６】
0006746360.tif 000007
【図７】
0006746360.tif 000008
【図８】
0006746360.tif 000009
【図９】
0006746360.tif 000010
【図１０】
0006746360.tif 000011
【図１１】
0006746360.tif 000012
【図１２】
0006746360.tif 000013
【図１３】
0006746360.tif 000014
【図１４】
0006746360.tif 000015
【図１５】
0006746360.tif 000016
【図１６】
0006746360.tif 000017
【図１７】
0006746360.tif 000018
【図１８】
0006746360.tif 000019
【図１９】
0006746360.tif 000020
【図２０】
0006746360.tif 000021
【図２１】
0006746360.tif 000022
【図２２】
0006746360.tif 000023
【図２３】
0006746360.tif 000024
【図２４】
0006746360.tif 000025
【図２５】
0006746360.tif 000026
【図２６】
0006746360.tif 000027
【図２７】
0006746360.tif 000028
【図２８】
0006746360.tif 000029
【図２９】
0006746360.tif 000030